(57)【要約】【課題】部品点数を増大することなく、加工及び組み立てが容易で、回路基板への静電気の侵入を効果的に防止できるキートップ付操作板を提供する。【解決手段】キートップ３１，３３，３５，３７，３９及びキートップ連結体４１，４３を有するキートップ成形体３０と、ケース１０と、フレキシブル回路基板６０と、金属板からなるアース兼基板載置板９０とを具備するキートップ付操作板１である。アース兼基板載置板９０は、フレキシブル回路基板６０を載置する基板載置部９１と、基板載置部９１の対向する一対の外側辺を上方向に折り曲げてなる側壁部９３，９３とを有して構成される。基板載置部９１上にフレキシブル回路基板６０を載置した上にキートップ成形体３０を設置する際、側壁部９３，９３をキートップ３１，３３，３５，３７，３９とキートップ連結体４１，４３の間に挿入する。【選択図】図１
2010118196.tif 000002
【特許請求の範囲】
【請求項１】
キートップ及び前記キートップの両側に配置され前記キートップを連結してなる一対のキートップ連結体を有するキートップ成形体と、前記キートップ成形体の上部を覆うと共に前記キートップを挿通するキートップ挿通孔を設けてなるケースと、前記キートップ成形体の下部に設置され前記キートップによって操作される機能部を設けてなる回路基板と、金属板からなり前記回路基板を載置するアース兼基板載置板と、を具備するキートップ付操作板において、
前記アース兼基板載置板は、前記回路基板を載置する基板載置部と、基板載置部の対向する一対の外側辺を上方向に折り曲げてなる側壁部とを有して構成され、
前記アース兼基板載置板の基板載置部上に前記回路基板を載置した上に前記キートップ成形体を設置する際、アース兼基板載置板の側壁部を前記キートップとキートップ連結体の間に挿入したことを特徴とするキートップ付操作板。
【請求項２】
請求項１に記載のキートップ付操作板において、
前記アース兼基板載置板の側壁部に、この側壁部の一部を外方に突出させてなる連結体載置部を設け、この連結体載置部上に前記キートップ成形体のキートップ連結体を載置したことを特徴とするキートップ付操作板。
【発明の詳細な説明】
【技術分野】
【０００１】
本発明は、各種電子機器を操作するキートップを取り付けてなるキートップ付操作板に関し、特にキートップを操作した際に回路基板へ静電気が侵入するのを効果的に防止できるキートップ付操作板に関するものである。
【背景技術】
【０００２】
従来、テレビなどの各種電子機器を操作する操作板（操作パネル）として、ケース（外装ケース）に設けた複数のキートップ挿通孔にキートップを露出し、これらキートップを押圧することで、キートップの下面側に設置している回路基板上のスイッチなどを押圧し、これによって前記各種電子機器を操作する構造のものがある。
【０００３】
この種の操作板は、キートップを指などで触るため、指などが帯電していると、キートップの表面を介して静電気が回路基板上に到達し、その回路パターンに侵入してしまう恐れがある。
【０００４】
これを防止するため従来、前記回路基板の上部に、導電層を形成したフイルムや金属板製のアース板を設置する方法（たとえば特許文献１の図１に示すフイルム（１０１）上のアースパターン（１０７）や、特許文献２の金属板からなるアース部材（７０）等参照）や、ケースやキートップなどのキートップ付操作板の構成部品自体を導電性部材で構成する方法などが用いられてきた。
【０００５】
しかしながら上記従来の方法では、アース用の部材を別途取り付けなければならなくて部品点数が増加し、またアース用の部材を別途取り付けない場合であっても従来ある部材の表面に導電層などの加工をしなければならず、また組み立てや製造が煩雑で、製造コストも増大してしまう恐れがあった。
【特許文献１】特開２００７−１７３０９４号公報
【特許文献２】特開２００８−７１５８９号公報
【発明の開示】
【発明が解決しようとする課題】
【０００６】
本発明は上述の点に鑑みてなされたものでありその目的は、部品点数を増大することなく、加工及び組み立てが容易で、回路基板への静電気の侵入を効果的に防止できるキートップ付操作板を提供することにある。
【課題を解決するための手段】
【０００７】
本願請求項１に記載の発明は、キートップ及び前記キートップの両側に配置され前記キートップを連結してなる一対のキートップ連結体を有するキートップ成形体と、前記キートップ成形体の上部を覆うと共に前記キートップを挿通するキートップ挿通孔を設けてなるケースと、前記キートップ成形体の下部に設置され前記キートップによって操作される機能部を設けてなる回路基板と、金属板からなり前記回路基板を載置するアース兼基板載置板と、を具備するキートップ付操作板において、前記アース兼基板載置板は、前記回路基板を載置する基板載置部と、基板載置部の対向する一対の外側辺を上方向に折り曲げてなる側壁部とを有して構成され、前記アース兼基板載置板の基板載置部上に前記回路基板を載置した上に前記キートップ成形体を設置する際、アース兼基板載置板の側壁部を前記キートップとキートップ連結体の間に挿入したことを特徴とするキートップ付操作板にある。
【０００８】
本願請求項２に記載の発明は、請求項１に記載のキートップ付操作板において、前記アース兼基板載置板の側壁部に、この側壁部の一部を外方に突出させてなる連結体載置部を設け、この連結体載置部上に前記キートップ成形体のキートップ連結体を載置したことを特徴とするキートップ付操作板にある。
【発明の効果】
【０００９】
請求項１に記載の発明によれば、アース兼基板載置板に設けた側壁部が、回路基板の両側辺を覆ってその上方に至り、さらにキートップとキートップ連結体の間に挿入されるので、ケースのキートップ挿通孔とキートップの間を通って内部に侵入してきた静電気は、回路基板に至る前に側壁部に入射することとなる。したがって回路基板への静電気の侵入を効果的に防止することができる。しかも回路基板（特にフレキシブル回路基板）を支えるために元々設置している基板載置板（アース兼基板載置板）に両側壁部を設けるだけなので、部品点数は増大せず、また加工及び組み立ても容易に行える。また側壁部はキートップとキートップ連結体の間に挿入されるので、装置が大型化することもない。
【００１０】
請求項２に記載の発明によれば、アース兼基板載置板の側壁部に連結体載置部を設けてその上にキートップ成形体のキートップ連結体を載置するので、キートップ成形体のアース兼基板載置板上への安定した設置が可能になり、いずれかのキートップを押圧した際に、押圧したキートップ以外の部分が共に動くことなく静止でき、その押圧操作を確実に行うことができる。また装置が大型化することもない。
【発明を実施するための最良の形態】
【００１１】
以下、本発明の実施形態を図面を参照して詳細に説明する。図４は本発明の１実施形態にかかるキートップ付操作板１を上側から見た斜視図、図５はキートップ付操作板１を下側から見た斜視図、図６はキートップ付操作板１を上側から見た分解斜視図、図７はキートップ付操作板１を下側から見た分解斜視図である。これらの図に示すようにキートップ付操作板１は、ケース１０の下側に、キートップ成形体３０と、フレキシブル回路基板６０と、アース兼基板載置板９０と、硬質回路基板１２０と、弾発部材１５０とを設置し、これら各部材をビス１９０によって一体化して構成されている。なお以下の説明において、「上」とはフレキシブル回路基板６０からケース１０側を向く方向をいい、「下」とはその反対方向をいうものとする。
【００１２】
ケース１０は、合成樹脂を略矩形状に成形して構成されており、その中央位置に１列に複数（５つ）のキートップ挿通孔１１が設けられている。ケース１０の下面には、複数（７つ）の支柱状の取付部１３が設けられており、各取付部１３の下面には小穴からなるビス止め部１５が設けられている。
【００１３】
図８はキートップ成形体３０の平面図である。同図に示すように、キートップ成形体３０は、１列に配置された複数（５つ）のキートップ３１，３３，３５，３７，３９と、これらキートップ３１，３３，３５，３７，３９の両側に並列（平行）に設置された一対のキートップ連結体４１，４３と、一方の端のキートップ３９のさらに端の位置に設置された弾発部材設置台４５とを一体成形して構成されている。キートップ３１，３３，３９はそれらの両側から突出する薄板状の可撓性連結帯３１１，３１１，３３１，３３１，３９１，３９１をＬ字状に同一方向に屈曲させてそれらの先端を一方のキートップ連結体４３に連結し、これによって各キートップ３１，３３，３９が上下動自在となるように構成されている。キートップ３５，３７はそれらの中央両側部から一対の薄板状の可撓性連結帯３５１，３５１，３７１，３７１を突出してそれらの先端をそれぞれキートップ連結体４１，４３に連結し、これによって各キートップ３５，３７が可撓性連結帯３５１，３５１，３７１，３７１を中心に揺動自在となるように構成されている。各キートップ３１，３３，３５，３７，３９の下面からは小突起状の押圧部ａ１が突出している。
【００１４】
キートップ連結体４１，４３は、何れも直線棒状であり、前記キートップ３１，３３，３５，３７，３９の両側全体にわたる長さを有しており、一方の端部（キートップ３１側の端部）は棒状の連結部４７によって連結され、他方の端部（キートップ３９側の端部）は弾発部材設置台４５の両端に設けたアーム部５５，５５によって連結されている。弾発部材設置台４５の下面には一対の小突起からなる取付部５１，５１が突設されている。
【００１５】
フレキシブル回路基板６０は、可撓性を有する合成樹脂フイルムの表面に所望の回路パターンを形成して構成されている。この実施形態では帯状の細長い２枚の合成樹脂フイルム６１，６３を重ね合わせ、両合成樹脂フイルム６１，６３の対向面にそれぞれ図示しない複数個（７個）ずつのスイッチ接点パターンを形成して狭い隙間を介してそれぞれ対向させ、さらに対向させた各スイッチ接点パターンの上側の合成樹脂フイルム６１上に金属板をドーム形状に形成してなる反転板６７を取り付け、これによって複数（７個）の機能部（以下「スイッチ」という）６５を設けている。このスイッチ６５はいわゆるメンブレンスイッチであり、前記キートップ３１，３３，３５，３７，３９の各押圧部ａ１に対向する位置（７か所）に設けられている。またフレキシブル回路基板６０の面中には貫通する小孔からなる３つのビス挿通孔６８が設けられている。これら３つのビス挿通孔６８は、前記ケース１０に設けた７つのビス止め部１５の内の中央３つのビス止め部１５に対向する位置に設けられている。また上側の合成樹脂フイルム６１の一方の端部（前記キートップ成形体３０の弾発部材設置台４５に対向する位置）は、下側の合成樹脂フイルム６３よりも長手方向に突出しており、その下面には接続用回路パターン６９が形成され、露出している。接続用回路パターン６９は、フレキシブル回路基板６０の各スイッチ６５からの信号を取り出すものであり、複数本の直線状のパターンを並列に設置している。
【００１６】
アース兼基板載置板９０は、細長い略帯状の金属板製であり、前記フレキシブル回路基板６０を載置する基板載置部９１と、基板載置部９１の対向する一対の外側辺（長手方向を向く両側辺）を上方向に折り曲げることで形成される側壁部９３，９３とを具備して構成されている。側壁部９３，９３には、この側壁部９３，９３の一部を外方（側壁部９３，９３の長手方向に交差する外側方向）に突出させてなる舌片形状の連結体載置部９５が設けられている。連結体載置部９５は両側壁部９３，９３それぞれの複数ヵ所に形成されており、両側壁部９３，９３となる部分に一対ずつのスリットを入れて両スリットの間の舌片状の部分を側壁部９３，９３を折り曲げる際に折り曲げないことで形成されており、その面は前記基板載置部９１の面と同一面になっている。言い換えれば、基板載置部９１と連結体載置部９５を除いた側壁部９３，９３の部分だけを屈曲させている。側壁部９３，９３の前記連結体載置部９５を設けた部分は凹状の切り欠きとなっており、その内の一部（６か所）の切り欠きは可撓性連結帯挿通部９７となっている。また前記連結体載置部９５を設けた部分以外にも側壁部９３の上辺を凹状に切り欠いてなる可撓性連結帯挿通部９８が３か所に設けられている。アース兼基板載置板９０の長手方向に向かうほぼ中央線上の複数個所（４か所）と、一方の端部近傍から突出する細帯状の取付片９９の先端（１か所）には、それぞれ小孔からなるビス挿通孔１０１が設けられている。これら５つのビス挿通孔１０１は、前記ケース１０に設けた７つのビス止め部１５の内の前記キートップ３１を配置する側の端部のものから５つのビス止め部１５に対向する位置に設けられている。
【００１７】
硬質回路基板１２０は、略矩形状で硬質の絶縁板１２１の表面に所望の回路パターンを形成し、その下面にコネクタ１３０を直接取り付けて構成されている。絶縁板１２１はたとえばプリント回路基板用の積層板である。絶縁板１２１の上面の前記フレキシブル回路基板６０の各接続用回路パターン６９に対向する位置には、接続用回路パターン１２３が形成されている。また硬質回路基板１２０の周囲の所定位置には、複数（３つ）のビス挿通孔１２５が設けられている。各ビス挿通孔１２５は、前記ケース１０に設けた７つのビス止め部１５の内の一端部近傍（前記弾発部材設置台４５を配置する側）の３つのビス止め部１５に対向する位置に設けられている。コネクタ１３０はメス型のコネクタであり、凹状のケーシング１３１内に棒状の複数本の金属端子１３３を設置して構成されている。各金属端子１３３は前記各接続用回路パターン１２３に電気的に接続されている。
【００１８】
弾発部材１５０は、弾性金属板を略矩形状に形成し、その中央部分を下方向に略Ｖ字状に屈曲させることでその直線状の突出部分を弾発部１５１とし、また前記弾発部材設置台４５に設けた一対の取付部５１，５１を挿入する小孔からなる係止部１５３，１５３を設けて構成されている。
【００１９】
キートップ付操作板１を組み立てるには、まずケース１０の下面にキートップ成形体３０を設置し、その際各キートップ３１，３３，３５，３７，３９をケース１０の各キートップ挿通孔１１に挿入する。次にキートップ成形体３０の弾発部材設置台４５の下面に弾発部材１５０を設置し、その際弾発部材設置台４５の各取付部５１，５１を弾発部材１５０の各係止部１５３，１５３に挿入し、それらの先端を熱カシメし、これによって弾発部材１５０を弾発部材設置台４５に取り付ける。
【００２０】
次にキートップ成形体３０の下面側にフレキシブル回路基板６０とアース兼基板載置板９０とを設置する。このときフレキシブル回路基板６０はアース兼基板載置板９０の基板載置部９１上に載置され、両側壁部９３，９３はキートップ３１，３３，３５，３７，３９とキートップ連結体４１，４３の間の隙間に挿入され、キートップ連結体４１，４３は連結体載置部９５上に載置される。またこのときフレキシブル回路基板６０の各ビス挿通孔６８と、これらに対向するアース兼基板載置板９０の各ビス挿通孔１０１とが上下に一致する。またこのとき弾発部材１５０の弾発部１５１は、フレキシブル回路基板６０の接続用回路パターン６９を形成した部分の裏面を押圧している。
【００２１】
次に前記フレキシブル回路基板６０の接続用回路パターン６９を設けた部分の下面側に、硬質回路基板１２０を設置する。このとき硬質回路基板１２０はアース兼基板載置板９０に重ならないように隣接して設置され、硬質回路基板１２０の各接続用回路パターン１２３はこれらに対向する各接続用回路パターン６９にそれぞれ当接し電気的に接続される。またこのとき硬質回路基板１２０の１つのビス挿通孔１２５とアース兼基板載置板９０の取付片９９の先端に設けたビス挿通孔１０１とが上下に一致する。そしてアース兼基板載置板９０と硬質回路基板１２０の各ビス挿通孔１０１，１２５（７か所）にビス１９０を挿入し、それらの先端をそれぞれケース１０のビス止め部１５にねじ込み、上記各部材を一体化する。これによって図４，図５に示すキートップ付操作板１が完成する。なお上記組立手順はその一例であり、他の各種異なる組立手順を用いて組み立てても良いことはいうまでもない。
【００２２】
図１は図４に示すキートップ付操作板１のＡ−Ａ断面図、図２は図４に示すキートップ付操作板１のＡ−Ａ断面斜視図、図３は図４に示すキートップ付操作板１のＢ−Ｂ断面斜視図である。これらの図に示すようにキートップ付操作板１は、アース兼基板載置板９０の基板載置部９１上にフレキシブル回路基板６０を載置した上にキートップ成形体３０を設置し、その際、アース兼基板載置板９０の側壁部９３，９３をキートップ３１，３３，３５，３７，３９とキートップ連結体４１，４３の間に挿入し、同時にアース兼基板載置板９０に設けた連結体載置部９５上にキートップ成形体３０のキートップ連結体４１，４３を載置して構成されている。
【００２３】
そして図１に示すキートップ３７を押圧（このキートップ３７については一方の端部近傍部分を押圧して揺動）して下降させ、下降した位置にある押圧部ａ１によってこれに対向する位置にあるスイッチ６５の反転板６７を押圧して反転すれば、そのスイッチ６５がオンする。前記押圧を解除すると、反転板６７は元の形状に自動復帰し、下降（揺動）していたキートップ３７は元の位置に上昇してスイッチ６５はオフする。他のキートップ３１，３３，３５，３９を押圧（キートップ３５については押圧して揺動）して下降させた場合も同様である。
【００２４】
一方図１において、キートップ３７を押圧するために指などがキートップ３７に触れた際、指などが帯電していると、その静電気がキートップ３７の外表面を沿面放電してケース１０のキートップ挿通孔１１内を通り、ケース１０の下面側に侵入する。そしてこのキートップ付操作板１によれば、アース兼基板載置板９０に設けた側壁部９３，９３が、フレキシブル回路基板６０の両側辺を覆ってその上方に至り、さらにキートップ３７とキートップ連結体４１，４３の間に挿入されているので、前記ケース１０の下面側に侵入してきた静電気は、点線矢印で示すように、フレキシブル回路基板６０に至る前に側壁部９３，９３に入射することになる。したがってフレキシブル回路基板６０への静電気の侵入を効果的に防止することができる。しかも元々設置する必要があるアース兼基板載置板９０に両側壁部９３，９３を設けて折り曲げ加工するだけなので、部品点数は増大せず、加工及び組み立ても容易に行える。また側壁部９３，９３はキートップ３７とキートップ連結体４１，４３の間の元々ある隙間に挿入されるだけなので、装置が大型化することもない。
【００２５】
またこのキートップ付操作板１によれば、アース兼基板載置板９０の側壁部９３，９３中に連結体載置部９５を設けてその上にキートップ成形体３０のキートップ連結体４１，４３を載置するので、キートップ成形体３０のアース兼基板載置板９０上への安定した設置が可能になり、いずれかのキートップ３１，３３，３５，３７，３９を押圧した際に押圧したキートップ以外の部分が共に動くことなく静止でき、その押圧操作が確実に行えるようになる。また薄板状の連結体載置部９５上にキートップ連結体４１，４３を載置するだけなので、装置が大型化することもない。
【００２６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では、フレキシブル回路基板６０に設ける機能部として２枚の合成樹脂フイルム６１，６３を重ね合わせて構成されるメンブレンスイッチを用いたが、１枚の合成樹脂フイルム上に一対の接点パターンを形成する構造のスイッチでもよく、またそれ以外の各種構造のスイッチでもよく、さらにスイッチ以外の機能を有する機能部であってもよい。また上記実施形態ではフレキシブル回路基板６０を用いたが、場合によっては硬質の回路基板を用いてもよい。
【図面の簡単な説明】
【００２７】
【図１】図４に示すキートップ付操作板１のＡ−Ａ断面図である。
【図２】図４に示すキートップ付操作板１のＡ−Ａ断面斜視図である。
【図３】図４に示すキートップ付操作板１のＢ−Ｂ断面斜視図である。
【図４】キートップ付操作板１を上側から見た斜視図である。
【図５】キートップ付操作板１を下側から見た斜視図である。
【図６】キートップ付操作板１を上側から見た分解斜視図である。
【図７】キートップ付操作板１を下側から見た分解斜視図である。
【図８】キートップ成形体３０の平面図である
【符号の説明】
【００２８】
１  キートップ付操作板
１０  ケース
１１  キートップ挿通孔
３０  キートップ成形体
３１，３３，３５，３７，３９  キートップ
４１，４３  キートップ連結体
６０  フレキシブル回路基板
６５  スイッチ（機能部）
９０  アース兼基板載置板
９１  基板載置部
９３，９３  側壁部
９５  連結体載置部
１２０  硬質回路基板
１５０  弾発部材
１９０  ビス
【図１】
2010118196.tif 000003
【図２】
2010118196.tif 000004
【図３】
2010118196.tif 000005
【図４】
2010118196.tif 000006
【図５】
2010118196.tif 000007
【図６】
2010118196.tif 000008
【図７】
2010118196.tif 000009
【図８】
2010118196.tif 000010